(57)【要約】      （修正有）【課題】民間航空機の化粧室などの限られたスペース内で足を洗浄可能にする足洗浄システムを提供する。【解決手段】足洗浄システムは、支持パネル１０６、並びに足洗浄エリア及び足洗浄エリアから水を流し出すように構成される排水口１１６を含む洗浄容器１０４を含む。洗浄容器１０４は、支持パネル１０６に移動可能に連結される。洗浄容器１０４は、支持パネル１０６に対して収納位置と展開位置との間で選択的に移動可能である。展開位置は、足洗浄エリア内での足洗浄を可能にする。【選択図】図５
2019093121.tif 000002
【特許請求の範囲】
【請求項１】
支持パネル（１０６）と、
足洗浄エリア（２３２）及び前記足洗浄エリアから水（３２０）を流し出すように構成される排水口（１１６）を含む洗浄容器（１０４）であって、前記支持パネルに移動可能に連結され、前記支持パネルに対して収納位置と前記足洗浄エリア内での足洗浄を可能にする展開位置との間で選択的に移動可能である洗浄容器（１０４）と
を含む足洗浄システム（１００）。
【請求項２】
前記洗浄容器（１０４）が、前記支持パネル（１０６）に枢動可能に連結される、請求項１に記載の足洗浄システム（１００）。
【請求項３】
前記収納位置にある前記洗浄容器（１０４）の基部（２１６）が、前記支持パネル（１０６）の外側面（２０２）に平行であり、前記展開位置にある前記洗浄容器の前記基部が、前記支持パネルの前記外側面に垂直である、請求項１又は２に記載の足洗浄システム（１００）。
【請求項４】
前記洗浄容器（１０４）を前記収納位置で確実に保持する固定ハンドル（１０８）であって、前記洗浄容器を前記収納位置から解放するために係合されるように構成される固定ハンドル（１０８）を更に含む、請求項１から３のいずれか一項に記載の足洗浄システム（１００）。
【請求項５】
前記展開位置にある前記洗浄容器（１０４）の前記足洗浄エリア（２３２）内に水（３２０）を供給するように構成される蛇口（１１０）を更に含む、請求項１から４のいずれか一項に記載の足洗浄システム（１００）。
【請求項６】
前記展開位置にある前記洗浄容器（１０４）の前記排水口（１１６）が、トイレ（３１０）の便器（３１２）の真上に位置付けられるように構成され、前記洗浄容器が、前記収納位置では前記トイレから離れて位置付けられる、請求項１から５のいずれか一項に記載の足洗浄システム（１００）。
【請求項７】
前記展開位置にある前記洗浄容器（１０４）が、前記トイレ（３１０）の前記便器（３１２）によって直接支持されるように構成される、請求項６に記載の足洗浄システム（１００）。
【請求項８】
前記支持パネル（１０６）が、支持及び安定のために個人（４００）によって把持されるように構成される把持可能な上部支持ハンドル（２０８）を含む、請求項１から７のいずれか一項に記載の足洗浄システム（１００）。
【請求項９】
前記洗浄容器が前記収納位置にあるとき、前記洗浄容器（１０４）が、前記排水口（１１６）を覆うように構成される排水口カバー（２２０）を更に含む、請求項１から８のいずれか一項に記載の足洗浄システム（１００）。
【請求項１０】
前記洗浄容器（１０４）が、少なくとも１つの追加の排水口（２４０）を更に含み、前記洗浄容器が前記展開位置から前記収納位置内に移動される際に、前記少なくとも１つの追加の排水口が前記洗浄容器内の残りの水（３２０）を流し出すように構成される、請求項１から９のいずれか一項に記載の足洗浄システム（１００）。
【請求項１１】
内部キャビン（６３０、６８０）と、
便器（３１２）を有するトイレ（３１０）を含む、前記内部キャビン内の化粧室（３００）と、
前記化粧室内の、請求項１から１０のいずれか一項に記載の足洗浄システム（１００）と
を含む輸送体。
【請求項１２】
前記支持パネル（１０６）が、前記化粧室（３００）の壁（３０２、３０４、３０６）に固定される、請求項１１に記載の輸送体。
【発明の詳細な説明】
【技術分野】
【０００１】
本開示の例は、一般に、民間航空機の化粧室などの限られたスペースで使用されうる足洗浄システム及び方法に関する。
【背景技術】
【０００２】
民間航空機は通常、内部キャビン内に１つ又は複数の化粧室を含む。航空機内の化粧室は一般に、トイレ、シンク、及び蛇口を含む。シンクは、個人が手を洗うことができる高さに位置付けられる。
【０００３】
様々な文化的、宗教的、伝統的及び／又は他のそのような理由のために、特定の人々は、飛行中などに足の洗浄を望む（及び／又は良心によって要求される）ことがある。例えば、宗教的な目的のために、祈る前に足を洗浄する人がいる。一又は複数の祈りの時間は、特定の飛行中に、特に長距離飛行中（大洋横断飛行中など）に起こりうる。したがって、飛行中、祈る前に航空機の化粧室を使用して足を洗浄する必要があると気付く人もいる。
【０００４】
航空機の化粧室の中で足を洗浄するために、人が一度にシンク内に置くことができるのは、片足だけであろう。理解できるように、手の洗浄のために構成されるシンクは、一般に、足の洗浄には適していない。すなわち、航空機の化粧室のシンク内に自分の足を置くことが厄介で、面倒で、困難であり、そうでなければ望ましくないと気付くことがあろう。更に、シンク内で足を洗うと、水がシンクから化粧室の床の上に飛び散る、及び／又は滴下することがある。
【発明の概要】
【０００５】
限られたスペース内で足を洗浄可能にするシステム及び方法が必要である。更に、特に民間航空機の化粧室内での、安全で効率的な足洗浄システム及び方法が必要とされる。
【０００６】
これらのニーズを念頭に置き、本開示のいくつかの実施形態は、支持パネル、並びに足洗浄エリア及び足洗浄エリアから水を流し出すように構成される排水口を含む洗浄容器を含む足洗浄システムを提供する。洗浄容器は、支持パネルに移動可能に連結される。洗浄容器は、支持パネルに対して収納位置と展開位置との間で選択的に移動可能である。展開位置は、足洗浄エリア内での足洗浄を可能にする。洗浄容器は、支持パネルに枢動可能に連結されうる。
【０００７】
少なくとも１つの実施形態では、収納位置にある洗浄容器の基部は、支持パネルの外側面に平行である。展開位置にある洗浄容器の基部は、支持パネルの外側面に垂直である。
【０００８】
足洗浄システムはまた、洗浄容器を収納位置に確実に保持する固定ハンドルを含みうる。固定ハンドルは、洗浄容器を収納位置から解放するために係合されるように構成される。足洗浄システムはまた、展開位置にある洗浄容器の足洗浄エリア内に水を供給するように構成される蛇口を含みうる。
【０００９】
少なくとも１つの実施形態では、展開位置にある洗浄容器の排水口は、トイレの便器の上に直接位置付けられるように構成される。洗浄容器は、収納位置では、トイレから離れて位置付けられる。展開位置にある洗浄容器は、トイレの便器によって直接支持されるように構成されうる。
【００１０】
支持パネルは、支持及び安定のために個人によって把持されるように構成される把持可能な上部支持ハンドルを含みうる。
【００１１】
洗浄容器はまた、収納位置にあるとき、排水口を覆うように構成される排水口カバーを含みうる。洗浄容器はまた、少なくとも１つの追加の排水口を含みうる。追加の排水口（単数／複数）は、洗浄容器が展開位置から収納位置内に移動される際に、洗浄容器内の残りの水を流し出すように構成される。
【００１２】
少なくとも１つの実施形態では、支持パネルは、化粧室の壁に固定されるように構成される。
【００１３】
本開示のいくつかの実施形態は、足洗浄エリア及び足洗浄エリアから水を流し出すように構成される排水口を含む洗浄容器を支持パネルに移動可能に連結することと、支持パネルに対して収納位置と展開位置との間で洗浄容器を選択的に移動させることとを含む足洗浄方法を提供する。展開位置は、足洗浄エリア内での足洗浄を可能にする。
【００１４】
本開示のいくつかの実施形態は、内部キャビン、内部キャビン（キャビン内では、化粧室が便器を有するトイレを含む）内の化粧室、及び化粧室内の足洗浄システムを含む輸送体を提供する。
【図面の簡単な説明】
【００１５】
【図１】本開示の実施例による、閉鎖空間内の足洗浄システムの概略ブロック図を示す。
【図２】本開示の実施例による、収納位置にある洗浄容器を含む足洗浄システムの正面斜視図を示す。
【図３】洗浄容器が展開位置にある、図２の足洗浄システムの正面斜視図を示す。
【図４】本開示の実施例による、収納位置にある洗浄容器を有する足洗浄システムを含む化粧室の内部斜視図を示す。
【図５】展開位置にある洗浄容器を有する足洗浄システムを含む、図４に示した化粧室の内部斜視図を示す。
【図６】本開示の実施例による、展開位置にある洗浄容器を有する足洗浄システムを含む化粧室の内部斜視図を示す。
【図７】本開示の実施形態による、閉鎖空間内の足洗浄方法のフローチャートを示す。
【図８】本開示の実施例による、航空機の正面斜視図を示す。
【図９Ａ】本開示の実施例による、航空機の内部キャビンの上面図を示す。
【図９Ｂ】本開示の実施例による、航空機の内部キャビンの上面図を示す。
【発明を実施するための形態】
【００１６】
上記概要、及び特定の実施形態の以下の詳細な説明は、添付の図面と併せて読むことにより、より深く理解されるだろう。本明細書で使用される際に、単数形で、及び、「１つの（「ａ」又は「ａｎ」）」という語の後に記載される要素又はステップは、複数のかかる要素又はステップを必ずしも除外しないと、理解すべきである。更に、「一実施形態／１つの実施形態（ｏｎｅ  ｅｍｂｏｄｉｍｅｎｔ）」への言及は、追加の実施形態の存在を除外すると解釈されることを意図しておらず、かかる追加の実施形態も、記載されている特徴を包含する。また、反対に明示的に記述されない限り、特定の性質を有する１つ又は複数の要素を「備える」「含む」又は「有する」実施形態は、その性質を有しない追加の要素を含みうる。
【００１７】
本開示の実施例は、民間航空機の化粧室などの閉鎖空間内で使用するように構成されている足洗浄システムを提供する。足洗浄システムは、支持パネルに連結する洗浄容器を含む。洗浄容器は、収納位置と展開位置との間で支持体に対して移動するように構成される。展開位置では、洗浄容器は、個人がその中に足を容易に置くことができるようにする高さにある。蛇口は、その中に置かれた足を洗浄するよう水を洗浄容器内に供給するために使用される。洗浄容器は、化粧室の便器のような排水容器に水を排水できるようにする排水口を含む。例えば、展開位置では、洗浄容器は、トイレの便器の真上に配置されうる。このように、排水口により、洗浄容器内の水は、トイレの便器内に直接排水することができる。使用後、個人は、洗浄容器を枢動させ収納位置内に戻す。収納位置では、洗浄容器は、閉鎖空間内の壁に対して支持パネル内に折り畳まれる。
【００１８】
図１は、本開示の実施例による、閉鎖空間１０２内の足洗浄システム１００の概略ブロック図を示す。少なくとも１つの実施形態では、閉鎖空間１０２は、民間航空機などの輸送体内の化粧室である。代替的には、閉鎖空間１０２は、住宅用又は商業用の建物内にありうる。例えば、閉鎖空間１０２は、オフィス用の建物の化粧室内にありうる。少なくとも１つの他の実施形態では、閉鎖空間１０２は、構造体又は輸送体内の任意の部屋でありうる。少なくとも１つの他の実施形態では、足洗浄システム１００は、構造体の外側部分などの閉鎖空間の外側に位置しうる。
【００１９】
足洗浄システム１００は、支持パネル１０６に移動可能に固定される洗浄容器１０４を含む。例えば、洗浄容器１０４は、支持パネル１０６に枢動可能に連結されうる。洗浄容器１０４は、収納位置と展開位置との間で支持パネル１０６に対して選択的に移動するように構成される。収納位置では、洗浄容器１０４の基部の表面は、支持パネル１０６の前面２０２（図２及び図３に示す）などの外側面と平行でありうる。少なくとも１つの実施形態では、洗浄容器１０４は、閉鎖空間１０２の床１０３に対して、直立しているか又はそうでなければ垂直に配向されている。展開位置では、洗浄容器１０４の基部の表面は、支持パネル１０６の外側面に対して垂直でありうる。展開位置では、洗浄容器１０４は、洗浄のために個人がその中に足を置くことができるように構成される。少なくとも１つの実施形態では、展開位置にある洗浄容器１０４は、閉鎖空間１０２の床１０３に対して水平に配向される。
【００２０】
固定ハンドル１０８は、洗浄容器１０４を収納位置に確実に保持するように構成される。個人は、洗浄容器１０４を収納位置から解放し、洗浄容器１０４を展開位置に移動させるために、固定ハンドル１０８を係合させうる。
【００２１】
足洗浄システム１００はまた、展開位置にある洗浄容器１０４内に水を供給することができる蛇口１１０を含む。蛇口１１０は、給水管１１４（例えば、１つ又は複数のパイプ、チューブ、ホースなどのような配管）を介して給水設備１１２に連結される。例えば、蛇口１１０は、化粧室内の手洗い用の蛇口、トイレなどのための給水設備１１２に連結されうる。
【００２２】
洗浄容器１０４は、洗浄容器１０４内の水を排水容器１１８に排水できるようにする排水口１１６を含む。少なくとも１つの実施形態では、排水容器１１８は、化粧室内のトイレの便器である。展開位置では、洗浄容器１０４の排水口１１６は、トイレの便器などの排水容器１１８の真上に位置付けられる。このように、洗浄容器１０４内の水は、排水口１１６を介してトイレの便器内に直接排水することができる。排水容器１１８と洗浄容器１０４との間には、空隙が画定されうる。空隙は、排水容器内の水（例えば、「黒い水」）と洗浄容器１０４内の水（例えば、「灰色の水」）との間の二次汚染を防止する又はそうでなければ低減する。少なくとも１つの他の実施形態では、排水容器１１８は、排水を保持するように構成される輸送体内のタンクでありうる。この実施形態では、排水口１１６は、排水管１２０（例えば、１つ以上のパイプ、チューブ、ホース、及び／又は配管などの配管）を介して、排水容器１１８に流体連結しうる。代替的には、排水口１１６は、別個の排水容器１１８に連結していなくてもよいが、別の排水システム（下水道など）又は外部環境に流体連結しうる。
【００２３】
動作中、片足又は両足の洗浄を希望する個人は、洗浄容器１０４を展開位置に移動させるために固定ハンドル１０８を係合させる。次に個人は、足を洗浄容器１０４内に置き、蛇口１１０を操作し、水を洗浄容器１０４内に供給して足を洗浄する。足洗浄プロセスが完了した後、個人は、洗浄容器１０４を収納位置に戻し、固定ハンドル１０８が、洗浄容器１０４を（ラッチ留め、掛け留めなどによって）収納位置に確実に保持する。
【００２４】
図２は、本開示の一例による、収納位置にある洗浄容器１０４を含む足洗浄システム１００の正面斜視図を示す。図３は、洗浄容器１０４が展開位置にある足洗浄システム１００の正面斜視図を示す。図２及び図３を参照すると、支持パネル１０６は、後面２０４とは反対側の前面２０２を含む本体２００を含み、それらは、上部支持ハンドル２０８及び下壁２１０に連結する側壁２０６によって囲まれている。前面２０２は、外側面と呼ぶことができる。上部支持ハンドル２０８は、個人が支持のために上部支持ハンドル２０８を把持できるようにする溝２１２を含む。少なくとも１つの他の実施形態では、上部支持ハンドル２０８は、個人により把持されるように構成されるバー（図示せず）を含みうる。オプションで、支持パネル１０６は、上部支持ハンドル２０８を含まなくてもよいが、代わりに側壁２０６及び下壁２１０だけではなく上壁を含みうる。少なくとも１つの実施形態では、支持パネル１０６は、化粧室の内装に取り付けるように構成される。支持パネル１０６は、図示されているものとは異なるサイズ及び形状でありうる。例えば、支持パネル１０６は、長方形、円形、三角形などでありうる。
【００２５】
洗浄容器保持空洞２１４は、支持パネル１０６の前面２０２内に画定される。洗浄容器保持空洞２１４は、洗浄容器１０４を収納位置に保持するようにサイズ及び形状が決められる。
【００２６】
洗浄容器１０４は、収納位置にある支持パネル１０６の前面２０２と同一平面であるか又はそうでなければ平行でありうる下基部２１６を含む。ベース２１６には、凹状軌道２１８が形成されていてもよい。排水口カバー２２０は、凹状軌道２１８内に移動可能に固定される。図２に示すように、排水口カバー２２０は、収納位置において排水口１１６（図２では見えない）を覆っている。
【００２７】
洗浄容器１０４は、基部２１６及び側壁２２６を介して遠位端壁２２４に連結する近位端壁２２２を更に含む。近位端壁２２２は、１つ又は複数の枢動ピン、ヒンジなどを介して支持パネル１０６に枢動可能に連結される。遠位端壁２２４は、収納位置において固定ハンドル１０８によってラッチ可能に係合される凹状エッジ２２８を含む。例えば、固定ハンドル１０８は、洗浄容器１０４を収納位置に保持するために凹状エッジ２２８上に係止しうる。固定ハンドル１０８は、洗浄容器１０４を収納位置から解放するために押し下げられるように構成されてうる。オプションで、別個の異なる固定ハンドル１０８の代わりに、洗浄容器１０４は、収納位置と展開位置との間で洗浄容器１０４を移動させるために個人によって把持されるように構成されるハンドル、リップなどを遠位端壁２２４に含みうる。
【００２８】
洗浄容器１０４を収納位置から展開位置に移動させるために、固定ハンドル１０８は、洗浄容器１０４を固定ハンドル１０８との確実な連結から解放するように係合される。次いで、近位端壁２２２と支持パネル１０６との間に画定された枢動軸２３０の周りで、洗浄容器１０４が弧Ａの方向に下に向かって枢動されうるように、遠位端壁２２４が把持されうる。
【００２９】
図３に示すように、洗浄容器１０４は、基部２１６の上面２３４と、近位端壁２２２、遠位端壁２２４、及び横壁２２６の内装面２３６とによって画定される足洗浄エリア２３２を含む。図示されるように、展開位置では、基部２１６の上面２３４は、支持パネル１０６の前面２０２に対して垂直でありうる。更に、展開位置では、基部２１６の上面２３４は、化粧室などの閉鎖空間の床に対して平行かつ水平でありうる。
【００３０】
展開位置では、排水口１１６は開いている。少なくとも１つの実施形態では、洗浄容器１０４が下向きに展開位置に枢動されると、排水口カバー２２０は、もはや排水口１１６を覆わないように、軌道２１８に対して移動する。少なくとも１つの実施形態では、洗浄容器１０４が下に展開位置まで枢動された後、洗浄容器１０４は、軌道２１８に対して排水口カバー２２０を移動させるために、矢印Ｂの方向に外向きに付勢されうる。例えば、洗浄容器１０４は、排水口カバー２２０を軌道２１８に対して移動可能にする関節式及び／又は伸張式部分を含みうる。オプションで、洗浄容器１０４は、展開位置に向かって、ばね付勢されてもよい。図２に示されるように、固定ハンドル１０８は、バネ付勢力を押し切り、洗浄容器１０４を収納位置に維持する。代替的には、洗浄容器１０４は、排水口カバー２２０及び／又は軌道２１８を含まなくてもよい。
【００３１】
展開位置では、蛇口１１０は、足洗浄エリア２３２に水を供給するために、１つ又は複数の弁ハンドル、プレス作動などを介して係合されうる。蛇口１１０は、足洗浄エリア２３２内への給水を停止するために、後で係合されてもよい。洗浄容器１０４が収納位置（図２に示す）に戻るように枢動されると、足洗浄エリア２３２内の残留水は、排水管１２０（図１に示す）を介して排水容器１１８に排出されうる。例えば、１つ以上の排水口２４０は、洗浄容器１０４が上向きに収納位置に枢動される際に、残りの水が重力を介して通過する近位端壁２２２に近接する足洗浄エリア２３２内に形成されてもよい。排水口１１６及び排水口２４０は、排水管１２０（図１に示す）に流体連結されうる。オプションで、洗浄容器１０４は、排水口２４０を含まなくてもよい。
【００３２】
図４は、本開示の一例による、収納位置にある洗浄容器１０４を有する足洗浄システム１００を含む化粧室３００の内部斜視図を示す。化粧室３００は、図１に示す閉鎖空間１０２の一例である。
【００３３】
化粧室３００は、後壁３０４、反対側の側壁３０６、及び床３０８に連結された側壁３０２を含む。トイレ３１０は、床３０８上で後壁３０４上に支持される。シンク３１５は、側壁３０６から延び、カウンタートップ３１１内に凹んでいる。足洗浄システム１００は、側壁３０２に取り付けられる。支持パネル１０６は、側壁３０６から外向きに延び、それによって、個人が支持のために把持しうる上部支持ハンドル２０８を露出させる。足洗浄システム１００は、ファスナ、接着剤などを介して側壁３０２に取り付けられうる。オプションで、足部洗浄システム１００は、側壁３０２に別個に取り付けられる代わりに、側壁３０２と一体的に形成されてもよい。少なくとも１つの実施形態では、足洗浄システム１００は、側壁３０２から外側に延びる代わりに、側壁３０２内に設置されてもよい。
【００３４】
図示されるように、足洗浄システム１００は、洗浄容器１０４がトイレ３１０と横方向に位置合わせされるように化粧室３００内に配置されうる。特に、展開位置では、洗浄容器１０４の排水口１１６（図１から図３に示す）は、トイレ３１０の便器３１２の真上に位置付けられうる。収納位置では、図４に示すように、洗浄容器１０４は、固定ハンドル１０８によって垂直位置又はそうでなければ直立位置に保持され、その結果、洗浄容器１０４は、側壁３０２とほぼ平行になり、トイレ３１０を越えて延びることはない。
【００３５】
図５は、展開位置にある洗浄容器１０４を有する足洗浄システム１００を含む化粧室３００の内部斜視図を示す。トイレ３１０の便座３１４は直立位置にあり、それによって便器３１２を露出させる。便器３１２の上側リム３１６は、洗浄容器１０４を支持しうる。例えば、洗浄容器１０４の下基部２１６（図２及び図４に示す）は、上側リム３１６上に静止し、その一方で、排水口１１６は、便器３１２の水容器の真上に位置決めされ、それによって蛇口１１０から供給される水３２０が排水口１１６から便器３１２の水容器内に排水可能となる。
【００３６】
足洗浄システム１００は、展開位置にある洗浄容器１０４が便器３１２の真上にくる高さに位置付けられ、上側リム３１６によって直接支持されうる。このように、便器３１２は、展開位置で洗浄容器１０４を直接支持し、それによって、洗浄容器１０４が展開位置を超えて延びるか、そうでなければ支持パネル１０６から外れる可能性を低減する。オプションで、展開位置にある洗浄容器１０４は、上側リム３１６から離間していてもよい。
【００３７】
展開位置では、洗浄容器１０４の基部２１６の上面２３４は、床３０８の表面と平行でありうる。例えば、展開位置では、水３２０が洗浄容器１０４の周囲を越えて流れる可能性を減らすために、洗浄容器１０４は、床３０８に対して水平でありうる。上面２３４は、水を排水口１１６に向けるよう排水口１１６に向かってわずかに傾斜しうる。
【００３８】
代替的には、少なくとも１つの他の実施形態では、足洗浄システム１００は、洗浄容器１０４が展開位置で便器３１２を越えて延びないように、化粧室３００内に配置されてもよい。この実施形態では、図１に示すように、洗浄容器１０４の排水口１１６は、排水管１２０を介して排水容器１１８に流体的に連結される。更に、洗浄容器１０４は、基部２１６に（下面、横方向エッジなどに）枢動可能に連結される展開可能な脚部を含み、脚部は、床３０８に対して洗浄容器１０４を固定するために、展開位置で下方に枢動されうる。
【００３９】
図６は、本開示の一例による、展開位置にある洗浄容器１０４を有する足洗浄システム１００を含む化粧室３００の内部斜視図を示す。洗浄容器１０４は、トイレ３１０の上で支持される。個人４００は、足４０２を洗浄容器１０４内に置き、支持及び安定のために上部支持ハンドル２０８を把持しうる。
【００４０】
足洗浄システム１００は、化粧室３００のような閉鎖空間内に配置され、それにより、展開位置にある洗浄容器１０４は、個人４００が洗浄容器１０４内に足４０２を容易に置くことができるようにする。例えば、洗浄容器１０４は、トイレ３１０の便器３１２の上及び真上に位置付けられうる。
【００４１】
図７は、本開示の実施形態による、閉鎖空間内の足洗浄方法のフローチャートを示す。方法は、支持パネル１０６に移動可能に連結された洗浄容器１０４を使用するためのものであり、洗浄容器１０４は、足洗浄エリア２３２と、足洗浄エリア２３２から水３２０を流し出すように構成される排水口１１６とを含む。支持パネル１０６には、支持及び安定のために個人４００によって把持されるように構成される把持可能な上部支持ハンドル２０８を設けることができる。更に、支持パネル１０６は、化粧室３００の壁３０２、３０４、３０６に固定することができる。
【００４２】
図１及び図７を参照すると、方法は５００で始まり、そこで足洗浄システム１００の洗浄容器１０４が、収納位置に固定される。収納位置にある洗浄容器１０４の基部２１６は、支持パネル１０６の外側面２０２と平行になるように位置付けられうる。更に、洗浄容器１０４は、収納位置では、トイレ３１０から離して位置付けることができる。５０２で、個人４００は、足４０２を洗うかどうかを決定する。もしそうでなければ、方法は５００に戻り、そこで洗浄容器１０４は、収納位置に維持される。
【００４３】
５０２で個人４００が足の洗浄を望む場合、方法は５０４に進み、そこで個人４００は、洗浄容器１０４を展開位置に移動させる。展開位置にある洗浄容器１０４の基部２１６は、支持パネル１０６の外側面２０２に対して垂直になるように位置付けられうる。固定ハンドル１０８を用いて洗浄容器１０４が収納位置に保持されると、固定ハンドル１０８は、洗浄容器１０４を収納位置から解放するように係合される。５０４で洗浄容器１０４を移動させるとき、展開位置にある洗浄容器１０４の排水口１１６は、トイレ３１０の便器３１２の真上に位置付けられる。更に、展開位置にある洗浄容器１０４は、トイレ３１０の便器３１２で直接支持することができる。
【００４４】
５０６において、その後、個人は、蛇口１１０を係合させ、洗浄容器１０４に供水する。少なくとも１つの実施形態では、蛇口１１０は、洗浄容器１０４が展開位置にあるときに、自動的に水を洗浄容器１０４内に供給するように構成されうる。５０８において、水は洗浄容器の排水口１１６を出入りする。
【００４５】
５１０において、個人は、所望量の足洗浄後に、洗浄容器１０４内への給水を停止するために、蛇口１１０を係合させうる。少なくとも１つの実施形態では、蛇口１１０は、洗浄容器１０４が収納位置に向かって移動するのに応じて、洗浄容器１０４内への水の供給を自動的に停止するように構成されうる。一例では、洗浄容器１０４は、固定ハンドル１０８によって収納位置にしっかりと保持される。５１２において、洗浄容器１０４は、収納位置に戻される。方法は、５１４で終了する。
【００４６】
図８は、本開示の実施例６１０による、航空機の正面斜視図を示す。航空機６１０は、例えば２つのターボファンエンジン６１４を含みうる推進システム６１２を含む。オプションで、推進システム６１２は、図示したものよりも更に多くのエンジン６１４を含みうる。エンジン６１４は、航空機６１０の翼６１６によって坦持される。他の実施形態では、エンジン６１４が、胴体６１８及び／又は尾部６２０によって担持されてもよい。尾部６２０は、水平尾翼６２２と、垂直尾翼６２４もまた支持しうる。
【００４７】
航空機６１０の胴体６１８は、内部キャビンを画定し、内部キャビンは、コックピット、１つ又は複数の作業区域（例えばギャレー、手荷物エリアなど）、１つ又は複数の旅客区域（例えばファーストクラス、ビジネスクラス、及びコーチ（ｃｏａｃｈ）区域）、並びに、後方レストエリアアセンブリが位置付けられうる後方区域を含みうる。各区域は、１つ以上のクラス／区域アセンブリを含みうる、キャビン移行エリアによって分離されうる。航空機６１０は、１つ以上の化粧室などの内部キャビン内に１つ以上の足洗浄システム１００（図１から図６に示す）を含む。
【００４８】
代替的には、航空機に代わりに、本開示の実施形態は、自動車、バス、機関車及び列車、船舶、宇宙船などの様々な他の輸送体に使用されてもよい。
【００４９】
図９Ａは、本開示の実施例による、航空機の内部キャビン６３０の上面図を示す。１つ又は複数の足洗浄システム１００（図１から図６に示される）は、１つ又は複数の化粧室３００などの内部キャビン６３０内にある。内部キャビン６３０は、図８に示されるように、航空機６１０の胴体６３２内にありうる。例えば、１つ又は複数の胴体壁が、内部キャビン６３０を画定しうる。キャビン６３０は、前部区域６３３、ファーストクラス区域６３４、ビジネスクラス区域６３６、前部ギャレーステーション６３８、拡張エコノミー（ｅｃｏｎｏｍｙ又はｃｏａｃｈ）クラス区域６４０、標準エコノミークラス区域６４２、複数の化粧室とギャレーステーションとを含みうる機尾区域６４４を含む、複数の区域を含みうる。内部キャビン６３０が図示するよりも多数又は少数の区域を含みうると理解すべきである。例えば、内部キャビン６３０は、ファーストクラス区域を含まなくてもよく、図示したものよりも多数又は少数のギャレーステーションを含んでもよい。各区域は、通路６４８間にクラス／区域アセンブリを含みうる、キャビン移行エリア６４６によって分離されうる。
【００５０】
図９Ａに示しているように、内部キャビン６３０は、後方区域６４４につながる２つの通路６５０及び６５２を含む。オプションとして、内部キャビン６３０は、図示したものよりも少数又は多数の通路を有してもよい。例えば、内部キャビン６３０には、後方区域６４４につながる内部キャビン６３０の中央を通って延びる単一の通路が含まれることがある。
【００５１】
図９Ｂは、本発明の一実施形態による、航空機の内部キャビン６８０の上面図を示している。１つ又は複数の足洗浄システム１００（図１から図６に示される）は、１つ又は複数の化粧室３００などの内部キャビン６８０内にある。内部キャビン６８０は、図８に示されるように、航空機６１０の胴体６８１内にありうる。例えば、１つ又は複数の胴体壁が、内部キャビン６８０を画定しうる。内部キャビン６８０は、旅客シート６８３を有するメインキャビン６８２と、メインキャビン６８２の後方の後方区域６８５とを含む、複数の区域を含む。内部キャビン６８０が図示するよりも多数又は少数の区域を含みうると理解すべきである。
【００５２】
内部キャビン６８０は、後方区域６８５につながる単一の通路６８４を含みうる。単一の通路６８４は、後方区域６８５につながる内部キャビン６８０の中央を通って延びうる。例えば、単一の通路６８４は、内部キャビン６８０の中央縦断面の同軸になるように位置合わせされうる。
【００５３】
図１から図９Ｂを参照すると、本明細書に記載されるように、本開示の実施形態は、航空機の化粧室のスペースなど限られたスペース内の個人が足洗浄を行うことができるシステム及び方法を提供する。更に、本開示の実施形態は、特に民間航空機に搭載されるような化粧室内での安全で効率的な足洗浄システム及び方法を提供する。
【００５４】
更に、本開示は、以下の条項による実施例を含む。
条項１．  支持パネルと、足洗浄エリア及び足洗浄エリアから水を流し出すように構成される排水口を含む洗浄容器であって、支持パネルに移動可能に連結され、支持パネルに対して収納位置と足洗浄エリア内での足洗浄を可能にする展開位置との間で選択的に移動可能である洗浄容器）とを含む足洗浄システム。
条項２．  洗浄容器が、支持パネルに枢動可能に連結される、条項１に記載の足洗浄システム。
条項３．  収納位置にある洗浄容器の基部が、支持パネルの外側面に平行であり、展開位置にある洗浄容器の基部が、支持パネルの外側面に垂直である、条項１又は２に記載の足洗浄システム。
条項４．  洗浄容器を収納位置で確実に保持する固定ハンドルであって、洗浄容器を収納位置から解放するために係合されるように構成される固定ハンドルを更に含む、条項１から３のいずれか一項に記載の足洗浄システム。
条項５．  展開位置にある洗浄容器の足洗浄エリア内に水を供給するように構成される蛇口を更に含む、条項１から４のいずれか一項に記載の足洗浄システム。
条項６．  展開位置にある洗浄容器の排水口が、トイレの便器の真上に位置付けられるように構成され、洗浄容器が、収納位置ではトイレから離れて位置付けられる、条項１から５のいずれか一項に記載の足洗浄システム。
条項７．  展開位置にある洗浄容器が、トイレの便器によって直接支持されるように構成される、条項６に記載の足洗浄システム。
条項８．  支持パネルが、支持及び安定のために個人によって把持されるように構成される把持可能な上部支持ハンドルを含む、条項１から７のいずれか一項に記載の足洗浄システム。
条項９．  洗浄容器が、収納位置にあるとき、排水口を覆うように構成される排水口カバーを更に含む、条項１から８のいずれか一項に記載の足洗浄システム。
条項１０．  洗浄容器が、少なくとも１つの追加の排水口を更に含み、洗浄容器が展開位置から収納位置内に移動される際に、少なくとも１つの追加の排水口が洗浄容器内の残りの水を流し出すように構成される、条項１から９のいずれか一項に記載の足洗浄システム。
条項１１．  支持パネルが化粧室の壁に固定されるように構成される、条項１から１０のいずれか一項に記載の足洗浄システム。
条項１２．  足洗浄エリア及び足洗浄エリアから水を流し出すように構成される排水口を含む洗浄容器を支持パネルに移動可能に連結することと、支持パネルに対して収納位置と足洗浄エリア内での足洗浄を可能にする展開位置との間で洗浄容器を選択的に移動させることとを含む足洗浄方法。
条項１３．  収納位置にある洗浄容器の基部が支持パネルの外側面に平行であるように位置付けることと、展開位置にある洗浄容器の基部が支持パネルの外側面に垂直であるように位置付けることとを含む、条項１２に記載の足洗浄方法。
条項１４．  固定ハンドルを用いて、洗浄容器を収納位置で確実に保持することと、洗浄容器を収納位置から解放するように固定ハンドルを係合させることとを含む、条項１２又は１３に記載の足洗浄方法。
条項１５．  展開位置にある洗浄容器の足洗浄エリア内に水を供給するための蛇口を使用すること更に含む、条項１２から１４のいずれか一項に記載の足洗浄方法。
条項１６．  展開位置にある洗浄容器の排水口をトイレの便器の真上に位置付けることと、収納位置では洗浄容器をトイレから離して位置付けることとを更に含む、条項１２から１５のいずれか一項に記載の足洗浄方法。
条項１７．  トイレの便器を用いて、展開位置にある洗浄容器を直接支持することを更に含む、条項１６に記載の足洗浄方法。
条項１８．  支持及び安定のために個人によって把持されるように構成される把持可能な上部支持ハンドルを含む支持パネルを提供することを更に含む、条項１２から１７のいずれか一項に記載の足洗浄方法。
条項１９．  支持パネルを化粧室の壁に固定することを更に含む、条項１２から１８のいずれか一項に記載の足洗浄方法。
条項２０．  内部キャビンと；便器を有するトイレを含む、内部キャビン内の化粧室と；化粧室内の足洗浄システムとを含む輸送体であって、足洗浄システムが、支持及び安定のために個人によって把持されるように構成される把持可能な上部支持ハンドルを含み、化粧室の壁に固定される支持パネルと；足洗浄エリア、足洗浄エリアから水を流し出すように構成される排水口、及び収納位置にあるとき、排水口を覆うように構成される排水口カバーを含み、支持パネルに枢動可能に連結され、かつ支持パネルに対して収納位置と足洗浄エリア内での足洗浄を可能にする展開位置との間で選択的に移動可能である洗浄容器であって、収納位置にある洗浄容器の基部が支持パネルの外側面に平行であり、展開位置にある洗浄容器の基部が支持パネルの外側面に垂直であり、展開位置にある洗浄容器の排水口が、トイレの便器の真上に位置付けられるように構成され、洗浄容器が、収納位置ではトイレから離れて位置付けられ、展開位置にある洗浄容器が、トイレの便器によって直接支持されるように構成される、洗浄容器と；洗浄容器を収納位置で確実に保持する固定ハンドルであって、洗浄容器を収納位置から解放するために係合されるように構成される固定ハンドルと；展開位置にある洗浄容器の足洗浄エリア内に水を供給するように構成される蛇口とを含む輸送体。
【００５５】
本開示の実施形態を説明するために、上（ｔｏｐ）、底（ｂｏｔｔｏｍ）、下方（ｌｏｗｅｒ）、中間（ｍｉｄ）、横方向（ｌａｔｅｒａｌ）、水平（ｈｏｒｉｚｏｎｔａｌ）、垂直（ｖｅｒｔｉｃａｌ）、前方（ｆｒｏｎｔ）などといった、空間及び方向に関する様々な語が使用されうるが、かかる語は図面に示す配向に関して使用されているにすぎないことを、理解されたい。この配向は、上部が下部になる、その逆になる、水平が垂直になる等のように、反転し、回転し、若しくは、変化しうる。
【００５６】
本明細書において、タスク又は動作を実施する「よう構成／設定され（ｃｏｎｆｉｇｕｒｅｄ  ｔｏ）」ている構造体、制約、又は要素は、タスク又は動作に対応する様態で、特に構造的に、形成され、構成／設定され、又は適合している。分かりやすくするため、かつ誤解を避けるために、タスク又は動作を実施するために改変されることが可能であるだけの対象物は、本明細書における、タスク又は動作を実施する「よう構成／設定」されているものではない。
【００５７】
上記の説明は、限定ではなく例示を意図するものであると理解すべきである。例えば、上述の実施形態（及び／又はそれらの態様）は、互いに組み合わされて使用されうる。加えて、本開示の様々な実施形態の教示には、その範囲から逸脱することなく特定の状況又は材料に適応させるよう、多数の改変を行いうる。本明細書に記載の寸法及び材料の種類は、本開示の様々な実施形態のパラメータを規定するためのものであるが、これらの実施形態は全く限定的なものではなく、例示的な実施形態である。上記の説明を精査することで、当業者には、他の多くの実施形態が明らかになろう。したがって、本開示の様々な実施形態の範囲は、付随する特許請求の範囲、並びに、かかる特許請求の範囲が認められる均等物の全範囲を参照して、決定されるべきである。付随する特許請求の範囲において、「含む（ｉｎｃｌｕｄｉｎｇ）」及び「そこにおいて（ｉｎ  ｗｈｉｃｈ）」という語は、「備える（ｃｏｍｐｒｉｓｉｎｇ）」及び「そこで（ｗｈｅｒｅｉｎ）」という語それぞれの明白な同義語として使用される。更に、「第１（ｆｉｒｓｔ）」「第２（ｓｅｃｏｎｄ）」及び「第３（ｔｈｉｒｄ）」等の語は、単に標識として使用され、それらの対象物に数的要件を課すことを意図するものではない。更に、下記の特許請求の範囲の限定は、ミーンズ・プラス・ファンクション書式で記述されておらず、かかる特許請求の範囲の限定が更なる構造のない機能の記述が後に続く「のための手段（ｍｅａｎｓ  ｆｏｒ）」という言い回しを明示的に使用しない限り、米国特許法第１１２条（ｆ）に基づいて解釈されることは意図されていない。
【００５８】
この明細書は、ベストモードを含む本開示の様々な実施形態を開示するため、及び、いかなる当業者にも、任意のデバイス又はシステムの作成及び使用、並びに包含された任意の方法の実施を含む、本開示の様々な実施形態を実践することを可能にするために、例を使用している。本開示の様々な実施形態の特許性の範囲は、特許請求の範囲によって規定され、当業者が想起する他の例を含みうる。かかる他の例は、例が特許請求の範囲の文言と相違しない構造要素を有する場合、又は、例が特許請求の範囲の文言とのごくわずかな相違しか有しない同等の構造要素を含む場合に、特許請求の範囲に含まれることが意図される。
【図１】
2019093121.tif 000003
【図２】
2019093121.tif 000004
【図３】
2019093121.tif 000005
【図４】
2019093121.tif 000006
【図５】
2019093121.tif 000007
【図６】
2019093121.tif 000008
【図７】
2019093121.tif 000009
【図８】
2019093121.tif 000010
【図９Ａ】
2019093121.tif 000011
【図９Ｂ】
2019093121.tif 000012
【外国語明細書】
2019093121000001.pdf
2019093121000002.pdf
2019093121000003.pdf
2019093121000004.pdf